(57)【特許請求の範囲】
【請求項１】
インストルメントパネル（以下、インパネと記す）に開口部を形成し、該開口部内にオーディオ機器を挿入すると共に、該オーディオ機器に設けられた取付けブラケットをインパネに取り付ける自動車のオーディオ機器取付け構造において、
前記取付けブラケットの車室側取付け部を前記インパネの車室側支持部に固定し、
前記取付けブラケットの、前記車室側取付け部より前方に延びる前側取付け部の前端部に弾性部材を有する嵌合凸部を設け、
前記インパネの前側部分に前記嵌合凸部が嵌合する嵌合凹部を設け、
前記嵌合凸部及び嵌合凹部は、共に上，下嵌合面に平面を有し、
さらに前記嵌合凸部は、前記前端部を車幅方向外側に折り曲げ、さらに前方に折り曲げることにより前記取付けブラケットの基部より車幅方向外方に偏位しており、かつ前記嵌合凸部の車幅方向外側面は、前記嵌合凹部の車幅方向内側面に当接している
ことを特徴とする自動車のオーディオ機器取付け構造。
【発明の詳細な説明】
【技術分野】
【０００１】
本発明は、自動車のインストルメントパネル（以下、インパネと記す）にオーディオ機器を取り付けるための構造に関する。
【背景技術】
【０００２】
自動車のインパネにオーディオ機器を取り付けるための構造として、従来例えば特許文献１に開示されたものがある。この従来構造では、オーディオ機器の車室側部分をインパネの表面付近にビス等で締め付け固定し、車両前方側部分に設けられたピンを、ブラケットにより前後方向に移動可能に支持し、該ブラケットをインパネ内部に配設されたクロスメンバーに固定している。
【先行技術文献】
【特許文献】
【０００３】
【特許文献１】特開２００７−１３１１４６号公報
【発明の開示】
【発明が解決しようとする課題】
【０００４】
ところが、前記従来の取付け構造では、オーディオ機器の、車室側部分はインパネに固定されているのに対し、車両前方側部分はステアリングメンバーに固定されたブラケットに支持されている。このようにオーディオ機器が別々の２部品に跨がるように取り付けられているので、組付精度を確保するのが困難となる。そのため、オーディオ機器の車室側部分はインパネに固定できるものの、車両前方側部分に設けられたピンを、ブラケットの嵌合凹溝に嵌合し易いようにするために断面円形とせざるを得なくなる。その結果、該ピン部分が前記インパネへの固定部分を中心として回転方向に揺動するのを防いで確実に固定することはできず、取付け剛性の低下やびびり音の発生を招くといった問題がある。
【０００５】
本発明は、前記従来の状況に鑑みてなされたもので、組付精度を向上でき、取付け剛性の低下やびびり音の発生を防止できる自動車のオーディオ機器取付け構造を提供することを課題としている。
【課題を解決するための手段】
【０００６】
本発明は、インストルメントパネル（以下、インパネと記す）に開口部を形成し、該開口部内にオーディオ機器を挿入すると共に、該オーディオ機器に設けられた取付けブラケットをインパネに取り付ける自動車のオーディオ機器取付け構造において、
前記取付けブラケットの車室側取付け部を前記インパネの車室側支持部に固定し、前記取付けブラケットの、前記車室側取付け部より前方に延びる前側取付け部の前端部に弾性部材を有する嵌合凸部を設け、前記インパネの前側部分に前記嵌合凸部が嵌合する嵌合凹部を設け、前記嵌合凸部及び嵌合凹部は、共に上，下嵌合面に平面を有し、さらに前記嵌合凸部は、前記前端部を車幅方向外側に折り曲げ、さらに前方に折り曲げることにより前記取付けブラケットの基部より車幅方向外方に偏位しており、かつ前記嵌合凸部の車幅方向外側面は、前記嵌合凹部の車幅方向内側面に当接していることを特徴としている。
【発明の効果】
【０００７】
本発明に係る自動車のオーディオ機器取付け構造によれば、取付けブラケットの車室側取付け部が固定される車室側支持部と、取付けブラケットの嵌合凸部が嵌合する嵌合凹部との両方を、インパネ１の１部品に設けたので、取付けブラケットの車室側取付け部と嵌合凸部との間隔寸法と、インパネ１の車室側支持部と嵌合凹部との間隔寸法の誤差を小さくでき、ひいては組付精度を向上できる。
【０００８】
そして組付け精度を向上できるので、取付けブラケットの嵌合凸部及びインパネの嵌合凹部を共に、上，下嵌合面に平面を有するものとすることができる。そのため、嵌合凸部と嵌合凹部の、オーディオ機器の回転方向における当たりが、面当たりとなり、オーディオ機器の、前記車室側取付け部を中心とする回転方向の移動を確実に阻止でき、その結果、取付け剛性を向上でき、びびり音の発生を防止できる。
【図面の簡単な説明】
【０００９】
【図１】本発明の一実施形態による自動車のオーディオ機器取付け構造を示す分解斜視図である。
【図２】前記取付け構造の一部断面側面図である。
【図３】前記取付け構造の一部断面平面図である。
【発明を実施するための形態】
【００１０】
以下、本発明の実施の形態を添付図面に基づいて説明する。
【００１１】
図１ないし図３は、本発明の一実施形態による自動車のオーディオ機器取付け構造を説明するための図である。
【００１２】
図において、１は車室前部に設けられたインパネであり、該インパネ１内に、メータ，各種スイッチ，空調用吹き出し口及びオーディオ機器等の車載部品が収納配置される。前記インパネ１の車幅方向中央の前端部１ｃは、車室前方に配置されたクロスメンバー２にボルト２ａにより締め付け固定されている。このクロスメンバー２は、車幅方向に延びており、その左，右両端部が車体の左，右側部に配置された車体サイドメンバー（図示せず）に固定されている。
【００１３】
前記インパネ１には、前記各種の車載部品を挿入する各種の開口が形成されており、車幅方向中央部に形成された開口部１ａに、オーディオ機器３が挿入配置されている。
【００１４】
前記オーディオ機器３は、車室内側端面に設けられた画像表示部３ａと、該表示部３ａの前側に連なる角筒状の本体部３ｂとを有する。そして本体部３ｂの左，右側面３ｃ，３ｃに、板金製の取付けブラケット４，４がボルト５ａ，５ａにより締め固定されている。
【００１５】
前記取付けブラケット４は、前記本体部３ｂの左，右側面３ｃに取付けられる平板状の基部４ａと、該基部４ａの、上端部に一体形成され、車幅方向外側に折り曲げられた車室側取付け部４ｂと、下端部に前方に延びるように形成された前側取付け部４ｃとを有する。
【００１６】
前記前側取付け部４ｃの前端部６ａは車幅方向外側に折り曲げられ、さらに前方に折り曲げられている。前記前端部６ａは、ゴム等の弾性体６ｂで被覆されており、この前端部６ａと弾性体６ｂとにより嵌合凸部６が形成されている。この嵌合凸部６は、前記基部４ａから少し車幅方向外方かつ車両前後方向前方に偏位している。また前記嵌合凸部６は、側面視で大略正方形に形成され、その上，下嵌合面６ｃ，６ｄは互いに平行に延びる平面をなしている。
【００１７】
前記インパネ１の開口部１ａの車室側縁部の上部には、車室側支持部１ｂが形成されており、該車室側支持部１ｂに前記取付けブラケット４の車室側取付け部４ｂがボルト５ｂにより締め付け固定されている。
【００１８】
また前記インパネ１の開口部１ａの内面の下部には嵌合凹部７が一体形成されている。この嵌合凹部７は、車両前後方向に延びる溝状をなしており、前記オーディオ機器３の取付けブラケット４に形成された嵌合凸部６が嵌合可能となっている。そしてこの嵌合凹部７の上嵌合面７ａ及び下嵌合面７ｂは、前後方向に延び、かつ互いに平行な平面をなしている。
【００１９】
本実施例１において、オーディオ機器３をインパネ１に取り付けるには、まず、左，右の取付けブラケット４，４を本体部３ｂの左，右側面３ｃ，３ｃにボルト５ａ，５ａにより締め付け固定する。
【００２０】
そして前記取付けブラケット４，４の下部前方に形成された嵌合凸部６，６を前記開口部１ａの左，右内面に形成された嵌合凹部７，７内に挿入し、該嵌合凹部７の奥面７ｃに当接させ、該オーディオ機器３を前記開口部１ａ内に収納配置する。そして前記取付けブラケット４の車室側取付け部４ｂを開口部１ａの車室側支持部１ｂに当接させ、ボルト５ｂで締め付け固定する。
【００２１】
本実施例１では、取付けブラケット４の車室側取付け部４ｂをインパネ１に形成された車室側支持部１ｂにボルト締め固定するとともに、取付けブラケット４の嵌合凸部６を同じくインパネ１に形成した嵌合凹部７に嵌合させたので、即ち、取付けブラケット４の上，下２点を、両方ともインパネ１に形成された上，下２点にボルト締め及び嵌合させたので、取付けブラケット２の上，下２点の間隔寸法と、インパネ１側の上，下２点の間隔寸法との寸法誤差を小さくでき、ひいては組付精度を向上できる。
【００２２】
また組付け精度を向上できたので、取付けブラケット４の嵌合凸部６をインパネ１の嵌合凹部７に嵌合させる場合に、嵌合し易い断面円形に限定されることなく嵌合凸部６の上，下嵌合面６ｃ，６ｄと、嵌合凹部７の上，下嵌合面７ａ，７ｂとを、共に平行で前方に延びる平面をなすものとすることができ、従来の丸断面を有するピンにより支持した場合のようにオーディオ機器３が回転方向に動くのを確実に阻止できる。その結果、オーディオ機器３を確実にインパネ１に取り付けることができ、オーディオ機器３が、インパネ１内でがたつくのを防止できる。
【符号の説明】
【００２３】
１  インパネ
１ａ  開口部
１ｂ  車室側支持部
３  オーディオ機器
４  取付けブラケット
４ｂ  車室側取付け部
６  嵌合凸部
６ａ  前端部（前側部分）
６ｂ  弾性部材
６ｃ，６ｄ  上，下嵌合面（平面）
７  嵌合凹部
７ａ，７ｂ  上，下嵌合面（平面）
【図１】
0005606050.tif 000002
【図２】
0005606050.tif 000003
【図３】
0005606050.tif 000004